(57)【要約】【課題】内側スリーブ状部の内側側面部の一部が分離部として他の部分と切目線を介して分離可能な内箱部と、内箱部を覆う外箱部で、外側側面部を有する外側スリーブ状部と、蓋部とを有し、分離部が設けられた内側側面部に対応した外側側面部には、切目線により形成された片部が分離部と接着された外箱部と、を有する包装箱において、収納される商品（特に、文庫本）を縦方向と横方向のいずれにも陳列できる包装箱を提供する。【解決手段】内箱部Ａ１の正面部１０には、下側部１６と上側部１７とからなる表示部１５が設けられ、文庫本を横向きに陳列する場合には、底面部５０を水平方向とし背面部４０を立設状態とし表示部１５を背面部４０に装着して使用し、一方、文庫本を縦向きに陳列する場合には、底面部５０を立設状態とし背面部４０を水平状態として表示部１５を背面部４０に装着し上側部１７を下側部１６に対して折り曲げて使用する。【選択図】図３
0003148566.tif 000002
【実用新案登録請求の範囲】
【請求項１】
包装箱であって、
略方形状の底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部と第１切目線を介して分離可能に形成され、１枚のブランクにより形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が第２切目線を破断することにより該外側側面部の他の部分に対して回動可能に形成され、１枚のブランクにより形成された外箱部と、
を有し、
外側側面部における分離部が接着された該片部を該第２切目線を破断して外側側面部の他の部分に対して回動させることにより、該第１切目線が破断して分離部が該片部に接着した状態のまま内箱部から分離し、
該内側正面部が、底面部と内側側面部から連設された内側正面本体部と、内側正面本体部の上端から連設された表示部とを有し、
該表示部が、内側正面本体部の底面部とは反対側の端部から切目線を介して連設された下側部と、下側部の内側正面本体部とは反対側の端部から横方向の折れ線を介して上側部とを有し、
該内箱部における内側背面部の底面部とは反対側の端部には、切込みを有する一対の差込み部が設けられ、内箱部に収納された商品を陳列する場合には、内側正面本体部との境界の切目線を破断することにより表示部を内側正面本体部から分離して、該表示部における下側部の上側部とは反対側の端部を該一対の差込み部に差し込むことにより表示部を内箱部の背面部に装着可能であり、
内箱部の底面部を底面側とし背面部を背面側とした陳列状態である第１陳列状態と、内箱部の内側背面部を底面側とし底面部を背面側とした陳列状態である第２陳列状態の２つの陳列状態を有し、該第２陳列状態の場合には、表示部を内側背面部の一対の差込み部に差し込むとともに、上側部を下側部に対して折曲して上側部を起立させることを特徴とする包装箱。
【請求項２】
内箱部の収納空間における内側正面部と内側背面部間の長さは文庫本の縦方向の長さと略同一に形成されていて、商品としての文庫本をその背表紙側を内箱部の底面部とは反対側として内箱部に収納することができ、文庫本を横方向にし背表紙を上側にして陳列する場合には、該第１陳列状態とし、文庫本を縦方向にし背表紙を正面側にして陳列する場合には、該第２陳列状態とすることを特徴とする請求項１に記載の包装箱。
【請求項３】
内箱部における内側正面本体部の上端の中央部分からは、切目線を介して、該一対の差込み部の切込み間の長さと略同一の横方向の長さを有する方形状の片部が連設され、下側部は、該片部の内側正面本体部との境界となる辺部を除く辺部と、内側正面本体部の上端における該片部が連設された部分の両側の部分とから切目線を介して連設され、下側部の内側正面本体部側には方形状の切欠部が形成され、表示部を内側背面部に装着する際には、表示部との境界の切目線を破断することにより該片部を表示部から分離し、内側背面部の一対の差込み部間の位置に下側部の切欠部の部分を差し込むことにより、下側部と内側背面部とを互いに係止させることを特徴とする請求項１又は２に記載の包装箱。
【請求項４】
表示部を内側背面部に装着した際に、内側正面本体部の底面部とは反対側の端部から表示部における上側部と下側部との境界位置までの底面部と直角な方向の長さが、内側背面部における底面部と直角な方向の長さ以上であることを特徴とする請求項１又は２又は３に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、複数の商品を集合して包装するとともに、店頭等に陳列する包装箱として、出願人は、特許文献１の包装箱について出願をしている。すなわち、特許文献１は、包装箱であって、底面部と、底面部の各辺から立設し底面部に対して略直角をなす複数の内側側面部からなる内側スリーブ状部とを有し、上部が開口した内箱部で、少なくとも２つの内側側面部において、内側側面部の上端の領域の一部が分離部として他の部分とミシン目を有する切目線を介して分離可能に形成された内箱部と、内箱部を覆う外箱部で、内箱部の内側スリーブ状部を構成する各内側側面部に対応して各内側側面部の外側の面に沿って設けられた外側側面部を有する外側スリーブ状部と、複数の外側側面部における少なくとも１つから連設された蓋部とを有し、内箱部における分離部が設けられた内側側面部に対応した外側側面部には、略コ字状の切込みが、該略コ字状の切込みにより形成された片部が水平方向に回動可能となるように形成され、該片部の内側の面が分離部と接着されている外箱部と、を有し、該略コ字状の切込みにより形成される片部を水平方向に外側に回動させることにより、分離部が片部に接着した状態のまま内箱部から分離することを特徴とするものである。
【０００３】
また、出願人は、特許文献２、特許文献３に記載の先行技術文献を知得している。
【特許文献１】実用新案登録第３１３９９４８号公報
【特許文献２】特開２００３−１２８０５１号公報
【特許文献３】特開２００３−１２８０５２号公報
【考案の開示】
【考案が解決しようとする課題】
【０００４】
しかし、商品を陳列するに当たって、陳列場所の環境によっては、商品を縦向きに陳列するのが適している場合と横向きに陳列するのが適している場合とがあり、いずれにも適用できるものが望まれていた。特に、商品の上下方向の長さが奥行方向の長さよりも長い場合（例えば、文庫本の場合）には、陳列スペースが上下方向には広いが奥行方向には狭い場合には、商品を縦方向に陳列するのが適しており、陳列スペースが上下方向には狭いが奥行方向には広い場合には、商品を横方向に陳列するのが適している。
【０００５】
そこで、本考案は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、収納される商品を縦方向と横方向のいずれにも陳列することができる包装箱を提供することができるものを提供することを目的とする。
【課題を解決するための手段】
【０００６】
本考案は上記問題点を解決するために創作されたものであって、第１には、包装箱であって、略方形状の底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部と第１切目線を介して分離可能に形成され、１枚のブランクにより形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が第２切目線を破断することにより該外側側面部の他の部分に対して回動可能に形成され、１枚のブランクにより形成された外箱部と、を有し、外側側面部における分離部が接着された該片部を該第２切目線を破断して外側側面部の他の部分に対して回動させることにより、該第１切目線が破断して分離部が該片部に接着した状態のまま内箱部から分離し、該内側正面部が、底面部と内側側面部から連設された内側正面本体部と、内側正面本体部の上端から連設された表示部とを有し、該表示部が、内側正面本体部の底面部とは反対側の端部から切目線を介して連設された下側部と、下側部の内側正面本体部とは反対側の端部から横方向の折れ線を介して上側部とを有し、該内箱部における内側背面部の底面部とは反対側の端部には、切込みを有する一対の差込み部が設けられ、内箱部に収納された商品を陳列する場合には、内側正面本体部との境界の切目線を破断することにより表示部を内側正面本体部から分離して、該表示部における下側部の上側部とは反対側の端部を該一対の差込み部に差し込むことにより表示部を内箱部の背面部に装着可能であり、内箱部の底面部を底面側とし背面部を背面側とした陳列状態である第１陳列状態と、内箱部の内側背面部を底面側とし底面部を背面側とした陳列状態である第２陳列状態の２つの陳列状態を有し、該第２陳列状態の場合には、表示部を内側背面部の一対の差込み部に差し込むとともに、上側部を下側部に対して折曲して上側部を起立させることを特徴とする。
【０００７】
この第１の構成の包装箱においては、蓋部を開けた状態として、包装箱の上方から複数の被収納物（商品）を内箱部内に収納する。その後、蓋部を閉状態にして、接着テープにより蓋部を封止する。つまり、外箱部の外側正面部から上面を経て外側背面部側にまで接着テープを貼り付けることにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、外側側面部における分離部が接着された片部を第２切目線を破断して該外側側面部の他の部分に対して回動させることにより、第１切目線が破断して分離部が片部に接着した状態のまま内箱部から分離させ、外箱部を上方に引き上げることにより、被収納物を収納した状態で、かつ、分離部が分離した状態の内箱部が残るので、被収納物を内箱部に収納した状態で被収納物を陳列する。その後、表示部を分離して内側背面部に装着する。表示部に商品の広告を表示しておくことにより、表示部をＰＯＰ広告として利用することができる。
【０００８】
また、第１陳列状態と第２陳列状態の２つの陳列状態を有するので、商品を縦方向と横方向のいずれにも陳列することができ、陳列場所の環境に応じて、縦方向と横方向のいずれの方向にも陳列することができる。特に、第２陳列状態の場合には、表示部を折曲して上側部を起立させることにより上側部に表示された表示内容を正面側から目視可能とできる。
【０００９】
また、第２には、上記第１の構成において、内箱部の収納空間における内側正面部と内側背面部間の長さは文庫本の縦方向の長さと略同一に形成されていて、商品としての文庫本をその背表紙側を内箱部の底面部とは反対側として内箱部に収納することができ、文庫本を横方向にし背表紙を上側にして陳列する場合には、該第１陳列状態とし、文庫本を縦方向にし背表紙を正面側にして陳列する場合には、該第２陳列状態とすることを特徴とする。これにより、文庫本を陳列環境に応じて縦方向にも横方向にも陳列することが可能となる。
【００１０】
また、第３には、上記第１又は第２の構成において、内箱部における内側正面本体部の上端の中央部分からは、切目線を介して、該一対の差込み部の切込み間の長さと略同一の横方向の長さを有する方形状の片部が連設され、下側部は、該片部の内側正面本体部との境界となる辺部を除く辺部と、内側正面本体部の上端における該片部が連設された部分の両側の部分とから切目線を介して連設され、下側部の内側正面本体部側には方形状の切欠部が形成され、表示部を内側背面部に装着する際には、表示部との境界の切目線を破断することにより該片部を表示部から分離し、内側背面部の一対の差込み部間の位置に下側部の切欠部の部分を差し込むことにより、下側部と内側背面部とを互いに係止させることを特徴とする。
【００１１】
また、第４には、上記第１から第３までのいずれかの構成において、表示部を内側背面部に装着した際に、内側正面本体部の底面部とは反対側の端部から表示部における上側部と下側部との境界位置までの底面部と直角な方向の長さが、内側背面部における底面部と直角な方向の長さ以上であることを特徴とする。よって、収納された商品を取り出す際に、表示部における起立した上側部が邪魔になることがない。
【考案の効果】
【００１２】
本考案に基づく包装箱によれば、商品の広告等が表示された表示部を分離して内側背面部に装着することにより、表示部をＰＯＰ広告として利用することができる。
【００１３】
また、第１陳列状態と第２陳列状態の２つの陳列状態を有するので、商品を縦方向と横方向のいずれにも陳列することができ、陳列場所の環境に応じて、縦方向と横方向のいずれの方向にも陳列することができる。特に、第２陳列状態の場合には、表示部を折曲して上側部を起立させることにより上側部に表示された表示内容を正面側から目視可能とできる。
【考案を実施するための最良の形態】
【００１４】
本考案においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、商品を縦方向と横方向のいずれにも陳列することができる包装箱を提供するという目的を以下のようにして実現した。
【００１５】
本考案に基づく包装箱Ａは、図１〜図８等に示すように構成され、図１〜図３、図１３等に示すように、内箱部Ａ１と、外箱部Ａ２とを有していて、それぞれが１枚のシート状のブランク（具体的には、段ボール、厚紙等）により形成されている。
【００１６】
内箱部Ａ１は、全体に上部が開口した容器状を呈し、図３、図５等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図５に示すように形成されている。
【００１７】
ここで、正面部１０は、正面本体部１２と、正面本体部１２の上端から連設された切取り片部１４とを有し、切取り片部１４は、表示部１５と、片部１９とを有している。
【００１８】
ここで、正面部１０の構成についてさらに詳しく説明すると、正面部１０は、組立て前の状態（つまり、表示部１５を表示状態とする前の状態）では、図３、図５、図９等に示すように全体に平板状を呈し、正面本体部１２と、切取り片部１４とを有している。
【００１９】
ここで、正面本体部１２は、横長長方形状の上側に凹部を形成して全体に凹状を呈している。つまり、正面本体部１２の両側は上方に突出した形状を呈している。
【００２０】
また、切取り片部１４は、正面本体部１２の上端から切目線（ミシン目）１３を介して連設され、表示部１５と、片部１９を有している。つまり、切取り片部１４は、正面本体部１２の両側に突出した部分における端部領域を余して上方に突出して形成され、表示部１５は、下側部１６と、下側部１６の上端から折れ線を介して連設された上側部１７とを有している。
【００２１】
下側部１６は、正面本体部１２の上端から上方に連設され、略長方形状の両側に台形形状を接続するとともにその略中央の下端領域に略方形状の切欠部が形成された形状を呈している。この切欠部の左右方向の長さは、背面部４０に設けられた一対の差込み部４２ａ、４２ｂにおける直線状の切込み線間の長さと略同一となっている。片部１９は、下側部１６の切欠部の位置に設けられ、正面本体部１２と下側部１６により切目線（ミシン目）を介して囲まれて形成されている。片部１９の正面本体部１２側を除く辺部に沿って切目線（ミシン目）１８が形成されている。つまり、下側部１６は、片部１９の正面本体部１２との境界となる辺部を除く辺部（つまり、３つの辺部）と、正面本体部１２の上端における片部１９が連設された部分の両側の部分とから切目線を介して連設されている。
【００２２】
また、上側部１７は、下側部１６の上端（水平方向の上端）から折れ線を介して連設され、長方形状の上端に円弧状に突出させた形状を呈している。つまり、上側部１７は、長方形状の本体部と円弧状の外形を呈する突出部とを設けた形状を呈している。なお、下側部１６と上側部１７との境界をなす折れ線に沿って所定間隔に切込みが形成されている。
【００２３】
なお、正面部１０の高さ方向の長さは、外箱部Ａ２の正面部１１０の高さ方向の長さよりも長く形成され（図２参照）、正面本体部１２の下端から下側部１６の上端までの高さ方向の長さが外箱部Ａ２の正面部１１０の高さ方向の長さと略一致している。
【００２４】
また、表示部１５の上側部１７には、収納される文庫本の広告等を表示しておくことにより、表示部１５をＰＯＰ広告として使用することができる。
【００２５】
また、側面部２０は、正面部１０の正面視における右側の端部（つまり、正面本体部１２の右側の端部）から折れ線を介して連設され、方形状における上側の一部を切り欠いた形状を呈し、その上端の縁部は、凹凸形状に形成され、正面側の端部においては、正面部１０における正面視右端の縁部と同じ高さに形成され、背面側の端部においては、背面部４０の上端の縁部の高さと同じに形成されている。この側面部２０は、本体部２２と、分離部２４とを有し、側面部２０の上端の領域の一部にミシン目Ｋ２と切込みＫ４と切込みＫ５とからなる境界線で区画することにより、本体部（内側側面部本体部）２２と、分離部２４とが形成されている。すなわち、ミシン目Ｋ２は、横方向（略水平方向）に略円弧状に形成され、切込みＫ４は、ミシン目Ｋ２の背面側の端部から垂直方向（つまり、水平方向（側面部２０の下辺の方向）に直角の方向）に直線状に形成され、切込みＫ５は、ミシン目Ｋ２の正面側の端部から水平方向に形成されている。つまり、分離部２４は、側面部２０の上端の領域の一部、すなわち、正面部側の端部から背面部側の端部にまでの上端の縁部に接する領域に形成され、本体部２２とミシン目Ｋ２を介して分離可能に形成されている。
【００２６】
分離部２４は、分離部本体部２４ａと突出部２４ｂとを有し、分離部本体部２４ａは、正面側と上面側と背面側が直線状に形成され、下面側が円弧状に形成されるとともに、背面側の上端に略直角三角形状の切欠部が形成されていて、全体に略方形状の下端に円弧状の切欠部が形成された形状となっている。分離部２４の上辺は水平方向に形成され、正面側と背面側の辺部は垂直方向に形成されている。つまり、分離部本体部２４ａの下辺はミシン目Ｋ２により形成され、分離部本体部２４ａの背面側の辺部は切込みＫ４により形成されている。突出部２４ｂは、分離部本体部２４ａの正面側の下端位置から折れ線２４−１（垂直方向の折れ線）を介して正面側に突出して形成され、略方形状を呈している。つまり、分離部本体部２４ａと突出部２４ｂ間には、垂直方向に折れ線が形成されている。突出部２４ｂの下辺は、切込みＫ５により形成されている。この突出部２４ｂは、後述する外箱部Ａ２の側面部１２０に設けられた開口部１２５の全部又は一部を内側から被覆することができるように開口部１２５の位置に設けられている。つまり、突出部２４ｂは、開口部１２５よりも大きく形成されている。なお、図６に示すように、分離部２４が片部１２２に接着され内箱部Ａ１と外箱部Ａ２とを一体にした状態では、突出部２４ｂの先端は、外箱部Ａ２の第２切目線１２４ｂよりも正面側とするのが好ましくこれにより、開口部１２５のなるべく広い面積を被覆することができる。
【００２７】
分離部２４の形状は、外箱部Ａ２の側面の片部１２２を外側に回動させることにより、分離部２４を本体部２２から分離し、その後、外箱部Ａ２を上方に引き上げる際に支障とならないように形成されている。つまり、分離された分離部２４が本体部２２に対して上方に移動する際に支障とならないように、分離部２４は、側面部２０の上端の領域の一部、すなわち、側面部２０の正面側の端部から背面側の端部までの上端の縁部に接する領域の一部に設けられ、ミシン目Ｋ２や切込みＫ４は水平方向（側面部２０の下辺の方向）に対して９０度以下に形成されている。例えば、図６に示すように、ミシン目Ｋ２の水平方向に対する角度α１、α２は９０度以下に形成され（特に、α２はマイナスの角度である）、また、切込みＫ４の水平方向に対する角度α３も９０度以下に形成されている。仮に、切込みＫ４の角度が９０度よりも大きくなってしまうと、分離部２４を本体部２２に対して上方に移動させる際に、本体部２２が支障となってしまうが、本実施例の場合にはそのようなおそれがない。
【００２８】
本体部２２は、側面部２０における分離部２４以外の部分であり、本体部２２の形状としては、上端の縁部が、ミシン目Ｋ２と切込みＫ４の境界を介して、略水平方向に形成された部分Ｆ１と、円弧状に立ち上がる部分Ｆ２とから構成されていて、全体に略Ｌ字状を呈し、その屈曲部の内側に分離部２４が形成されているといえる。この分離部２４の形成位置は、外箱部Ａ２の片部１２２の裏側の領域であり、分離部２４における分離部本体部２４ａは片部１２２の裏側に接着され、片部１２２を外側に回動させることにより、分離部２４も片部１２２の裏側に接着したままミシン目Ｋ２が破断されて、分離部２４が本体部２２から分離するように形成されている。分離部本体部２４ａは、片部本体部１２２ａ（後述）よりも小さく形成されていて、分離部本体部２４ａの外形が片部本体部１２２ａの外形よりもはみだすことがない。なお、分離部本体部２４ａの下端位置が片部本体部１２２ａの下端位置と略一致させることにより、突出部２４ｂが開口部１２５を内側から被覆することができる。なお、分離部２４と本体部２２との境界をなすミシン目Ｋ２と切込みＫ４と切込みＫ５は、上記切目線となる。
【００２９】
また、側面部３０は、正面部１０の正面視における左側の端部（つまり、正面本体部１２の左側の端部）から折れ線を介して連設され、方形状における上側の一部を切り欠いた形状を呈し、本体部３２と、分離部３４とを有し、側面部３０の上端の領域の一部にミシン目Ｋ６と切込みＫ８と切込みＫ９とからなる境界線で区画することにより、本体部３２と、分離部３４とが形成されている。この側面部３０の構成は、側面部２０と前後方向に垂直な仮想的な平面である中心面を介して対称に形成されていて、本体部３２は本体部２２と対称に形成され、分離部３４は分離部２４と対称に形成されていることから詳しい説明を省略する。
【００３０】
なお、分離部３４は、分離部本体部３４ａと突出部３４ｂとを有し、分離部本体部３４ａは、正面側と上面側と背面側が直線状に形成されるとともに、下面側が円弧状に形成されていて、全体に略方形状の下端に円弧状の切欠部が形成された形状となっている。つまり、分離部本体部３４ａの下辺はミシン目Ｋ６により形成され、分離部本体部３４ａの背面側の辺部は切込みＫ８により形成されている。突出部３４ｂは、分離部本体部３４ａの正面側の下端位置から折れ線３４−１を介して正面側に突出して形成され、略方形状を呈している。突出部３４ｂの下辺は、切込みＫ９により形成されている。
【００３１】
また、分離部３４の形成位置は、外箱部Ａ２の片部１３２の裏側の領域であり、分離部３４における分離部本体部３４ａは片部１３２の裏側に接着され、片部１３２を外側に回動させることにより、分離部３４も片部１３２の裏側に接着したままミシン目Ｋ６が破断されて、分離部３４が本体部３２から分離するように形成されている。なお、分離部３４と本体部３２との境界をなすミシン目Ｋ６と切込みＫ８と切込みＫ９は、上記切目線となる。なお、分離部２４、３４において、折れ線２４−１、３４−１は省略してもよい。
【００３２】
また、背面部４０は、側面部３０の左側面視における左端から折れ線を介して連設され、方形状（長方形状）を呈している。この背面部４０の横幅は、正面部の横幅と同一に形成され、背面部４０の縦幅は、側面部２０、３０の縦幅（最大縦幅）と同一に形成されている。なお、背面部４０の上端には、一対の差込み部４２ａ、４２ｂが間隔を介して形成されている。一対の差込み部４２ａ、４２ｂにおける各差込み部は、背面部４０の上端から形成された略三角形状の切欠部と該切欠部の下端から縦方向に形成された直線状の切込み線とから構成され、２つの切込み線間の間隔は、正面部１０の切取り片部１４における下側部１６の下端における切欠部の左右方向の長さと略同一となっている。
【００３３】
また、糊代部４２は、背面部４０の背面視における左端から折れ線を介して連設され、縦方向に細長の帯状台形形状を呈している。この糊代部４２は、その外側の面が側面部２０の内側の面に接着されている。
【００３４】
また、底面部５０は、第１片部６０と、第２片部７０と、第３片部８０と、第４片部９０とを有し、包装箱Ａの組立て状態においては、図４に示すように、略方形状を呈している。
【００３５】
ここで、第１片部６０は、正面部１０の下端から折れ線を介して連設され、略長方形状に形成され、第１片部６０の上面の一部が内箱部Ａ１の内底面の一部を形成している。また、第１片部６０の角部（正面部１０と側面部２０の境界位置の角部）からは第１片部６０の正面部１０との境界をなす辺部に対して斜めに所定間隔で切込みが形成された（つまり、折曲しやすいように切込みが形成されている）折れ線６０−１（この折れ線６０−１は、上面側が山折れ線となっている）が形成され、内箱部Ａ１を折り畳む際に、容易に折り畳むことができるようになっている。第１片部６０は、折れ線６０−１を介して本体部６２と先端部６４とに区画される。本体部６２の先端の先端部６４側には、他方の本体部９２と互いに係止するように切欠部６２ａが形成されている。先端部６４の上面は、第２片部７０の下面に接着されている。
【００３６】
また、第２片部７０は、側面部２０の下端から折れ線を介して連設され、先端側にいくほど幅狭となる略台形形状に形成され、その上面の一部が内箱部Ａ１の内底面の一部を形成している。
【００３７】
また、第３片部８０は、側面部３０の下端から折れ線を介して連設され、先端側にいくほど幅狭となる略台形形状に形成され、その上面の一部が内箱部Ａ１の内底面の一部を形成している。この第３片部８０は、底面部５０の組立て状態においては、第２片部７０と点対称に形成されている。
【００３８】
また、第４片部９０は、背面部４０の下端から折れ線を介して連設され、底面部５０の組立て状態においては、第１片部６０と点対称に形成されている。すなわち、第４片部９０は、背面部４０の下端から折れ線を介して連設され、略長方形状に形成され、第４片部９０の上面の一部が内箱部Ａ１の内底面の一部を形成している。また、第４片部９０の角部（背面部４０と側面部３０の境界位置の角部）からは第４片部９０の背面部４０との境界をなす辺部に対して斜めに所定間隔で切込みが形成された（つまり、折曲しやすいように切込みが形成されている）折れ線９０−１（この折れ線９０−１は、上面側が山折れ線となっている）が形成され、内箱部Ａ１を折り畳む際に、容易に折り畳むことができるようになっている。第４片部９０は、折れ線９０−１を介して本体部９２と先端部９４とに区画される。本体部９２の先端の先端部９４側には、他方の本体部６２と互いに係止するように切欠部９２ａが形成されている。先端部９４の上面は、第３片部８０の下面に接着されている。
【００３９】
内箱部Ａ１を箱状に組み立てた状態（ただし、切取り片部１４を組み立てる前の状態）では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部２０との角度を小さくし、背面部４０と側面部３０との角度を小さくさせることにより、図９に示すように、内箱部Ａ１が全体に平板状に折り畳むことができる。また、内箱部Ａ１を折り畳んだ状態では、底面部５０を構成する各部は、スリーブ状部５内に配置され、スリーブ状部５を構成する正面部１０、側面部２０、３０、背面部４０に対して略平行な状態となる。
【００４０】
次に、外箱部Ａ２は、内箱部Ａ１を覆う箱体であり、図１〜図３、図７等に示すように、スリーブ状部（外側スリーブ状部）１０５と、上面部１６０、１７０、１８０、１９０とを有していて、その展開状態は、図７に示すように形成されている。
【００４１】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００４２】
ここで、正面部１１０は、方形状（長方形状）の板状を呈している。この正面部１１０の横幅は、内箱部Ａ１を外箱部Ａ２内に収納することができるように、正面部１０の横幅よりも若干大きく形成されている。
【００４３】
また、側面部１２０は、正面部１１０の正面視における右側の端部から折れ線Ｋ１２０を介して連設され、方形状を呈し、片部１２２と、開口部１２５が形成されている。
【００４４】
ここで、片部１２２は、横方向（側面部１２０の下辺と略平行な方向）に形成された直線状の第１切目線１２４ａと、第１切目線１２４ａの端部（右側面視における左側の端部）から下側に向けて縦方向（側面部１２０の下辺と略直角な方向）に形成された直線状の第２切目線１２４ｂと、第２切目線１２４ｂの下端に連設された開口部１２５における傾斜した辺部１２４ｃと、開口部１２５の背面側の端部から連設され横方向（側面部１２０の下辺と略平行な方向）に形成された直線状の第３切目線１２４ｄと、第１切目線１２４ａ及び第３切目線１２４ｄの第２切目線１２４ｂ側とは反対側の端部を結ぶ仮想上の直線により囲まれている。第１切目線１２４ａと第３切目線１２４ｄは、一部がミシン目状につながった切込みにより構成されている。
【００４５】
また、この片部１２２には、辺部１２４ｃの下端位置から垂直方向に伸びた折れ線１２６が設けられており、片部１２２における折れ線１２６よりも基端側が片部本体部１２２ａとなり、片部１２２における折れ線１２６よりも先端側が片部先端部１２２ｂとなる。
【００４６】
開口部１２５は、直角三角形を呈し、第２切目線１２４ｂの延長線となる辺部１２５ａと、第３切目線１２４ｄの延長線となる辺部１２５ｂと、上記辺部１２４ｃとで囲まれて形成されている。この開口部１２５は、指を入れて片部先端部１２２ｂを外側に起こすことができる大きさに形成されている。
【００４７】
ここで、第１切目線１２４ａと、第２切目線１２４ｂと、辺部１２５ａと、辺部１２５ｂと、第３切目線１２４ｄとで、略コ字状に形成されているといえる。
【００４８】
以上のように、側面部１２０には、略コ字状の切目線における一対の端部とは反対側の部分を切目線の代わりに開口部とすることにより片部１２２と開口部１２５が形成されているといえる。
【００４９】
なお、この側面部１２０の横幅は、内箱部Ａ１を外箱部Ａ２内に収納することができるように、側面部２０の横幅よりも若干大きく形成されている。
【００５０】
なお、正面部１１０と側面部１２０の境界位置には、所定間隔で切込みが形成された（つまり、折曲しやすいように切込みが形成されている）直線状の折れ線Ｋ１２０が形成され、また、側面部１２０と正面部１１０の間の位置における下側には、縦長の切欠部Ｋ１２２が形成されている。
【００５１】
また、側面部１３０は、正面部１１０の正面視における左側の端部から折れ線Ｋ１１２を介して連設され、方形状を呈していて、片部１３２と、開口部１３５が形成されている。
【００５２】
この側面部１３０の構成は、側面部１２０と前後方向に垂直な仮想的な平面である中心面を介して対称に形成されていて、片部１３２は、片部１２２と対称に形成され、開口部１３５は、開口部１２５と対称に形成されている。
【００５３】
すなわち、片部１３２は、横方向（側面部１３０の下辺と略平行な方向）に形成された直線状の第１切目線１３４ａと、第１切目線１３４ａの端部（左側面視における右側の端部）から下側に向けて縦方向（側面部１３０の下辺と略直角な方向）に形成された直線状の第２切目線１３４ｂと、第２切目線１３４ｂの下端に連設された開口部１３５における傾斜した辺部１３４ｃと、開口部１３５の背面側の端部から連設され横方向（側面部１３０の下辺と略平行な方向）に形成された直線状の第３切目線１３４ｄと、第１切目線１３４ａ及び第３切目線１３４ｄの第２切目線１３４ｂ側とは反対側の端部を結ぶ仮想上の直線により囲まれている。第１切目線１３４ａと第３切目線１３４ｄは、一部がミシン目状につながった切込みにより構成されている。
【００５４】
また、この片部１３２には、辺部１３４ｃの下端位置から垂直方向に伸びた折れ線１３６が設けられており、片部１３２における折れ線１３６よりも基端側が片部本体部１３２ａとなり、片部１３２における折れ線１３６よりも先端側が片部先端部１３２ｂとなる。
【００５５】
開口部１３５は、直角三角形を呈し、第２切目線１３４ｂの延長線となる辺部１３５ａと、第３切目線１３４ｄの延長線となる辺部１３５ｂと、上記辺部１３４ｃとで囲まれて形成されている。
【００５６】
ここで、第１切目線１３４ａと、第２切目線１３４ｂと、辺部１３５ａと、辺部１３５ｂと、第３切目線１３４ｄとで、略コ字状に形成されているといえる。
【００５７】
以上のように、側面部１３０には、略コ字状の切目線における一対の端部とは反対側の部分を切目線の代わりに開口部とすることにより片部１３２と開口部１３５が形成されているといえる。
【００５８】
なお、正面部１１０と側面部１３０の境界位置には、所定間隔で切込みが形成された（つまり、折曲しやすいように切込みが形成されている）直線状の折れ線Ｋ１１２が互いに平行に２本形成されている。また、側面部１３０と正面部１１０の間の位置における下側には、縦長の開口部Ｋ１１４が形成されている。
【００５９】
また、背面部１４０は、側面部１３０の左側面視における左端から折れ線Ｋ１１６を介して連設され、方形状を呈している。この背面部１４０の横幅は、内箱部Ａ１を外箱部Ａ２内に収納することができるように、背面部４０の横幅よりも若干大きく形成されている。
【００６０】
なお、側面部１３０と背面部１４０の境界位置には、所定間隔で切込みが形成された（つまり、折曲しやすいように切込みが形成されている）直線状の折れ線Ｋ１１６が形成されている。
【００６１】
また、糊代部１４２は、側面部１２０の右側面視における右端から折れ線（所定間隔で切込みが形成された（つまり、折曲しやすいように切込みが形成されている）直線状の２本の互いに平行な折れ線Ｋ１２４）を介して連設され、縦方向に細長の帯状台形形状を呈している。この糊代部１４２は、図２に示すように、その内側の面が背面部１４０の外側の面に接着されている。
【００６２】
また、正面部１１０と側面部１２０、１３０と背面部１４０の縦幅は同一に形成されていて、内箱部Ａ１の縦幅と同一又は若干大きく形成されている。
【００６３】
また、上面部１６０は、正面部１１０の上端から折れ線を介して連設され、方形状（長方形状）を呈している。また、上面部１７０は、側面部１２０の上端から折れ線を介して連設され、方形状（長方形状）を呈している。また、上面部１８０は、側面部１３０の上端から折れ線を介して連設され、方形状（長方形状）を呈している。また、上面部１９０は、背面部１４０の上端から折れ線を介して連設され、方形状（長方形状）を呈している。外箱部Ａ２の展開状態において、上面部１７０と上面部１６０との間には隙間Ｋ１３８が形成され、上面部１８０と上面部１６０との間には隙間Ｋ１３４が形成され、上面部１９０と上面部１８０との間には隙間Ｋ１３６が形成されている。
【００６４】
これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。なお、蓋部としての上面部１６０〜１９０はスリーブ状部１０５の上端の各辺から連設されているが、少なくとも１つの上面部から連設されていればよい。
【００６５】
なお、正面部１１０と側面部１２０、１３０と背面部１４０は、請求項１における外側側面部を構成する。
【００６６】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００６７】
次に、内箱部Ａ１と外箱部Ａ２とは、分離部２４、３４の箇所で互いに接着されている。つまり、分離部本体部２４ａの外側の面と片部１２２の内側の面とが接着剤その他の接着手段により接着されるとともに、分離部本体部３４ａの外側の面と片部１３２の内側の面とが接着剤その他の接着手段により接着されることにより、包装箱Ａが全体に一体に形成される。つまり、分離部本体部２４ａの外側の面の全部又は一部の領域と片部本体部１２２ａの内側の面の間には接着剤層（図示せず）が設けられていて、同様に、分離部本体部３４ａの外側の面の全部又は一部の領域と片部本体部１３２ａの内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２２を外側に回動させた際に、同時に分離部本体部２４ａの下側のミシン目Ｋ２が破れて、分離部２４が内箱部Ａ１から分離し、回動させた片部１２２に接着した状態で片部１２２に従動するように設定されていて、同様に、外箱部Ａ２の片部１３２を外側に回動させた際に、同時に分離部本体部３４ａの下側のミシン目Ｋ６が破れて、分離部３４が内箱部Ａ１から分離し、回動させた片部１３２に接着した状態で片部１３２に従動するように設定されている。
【００６８】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０及び開口部１２５、１３５の内側部分以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０及び開口部１２５、１３５の内側部分のみが露出している。
【００６９】
なお、包装箱Ａは、図１０に示すように、文庫本を横向きにして収納できる大きさに形成されていて、包装箱Ａの収納空間の前後方向の長さは、文庫本の高さ方向の長さと略一致しており、該収納空間の高さ方向の長さは、文庫本の前後方向の長さと略一致して形成されている。つまり、内箱部Ａ１の側面部２０、３０の横方向の長さは、文庫本の高さ方向の長さ略一致又は若干大きく形成され、また、内箱部Ａ１の背面部４０の高さ方向の長さや外箱部Ａ２の正面部１１０、側面部１２０、１３０、背面部１４０の高さ方向の長さは、文庫本の前後方向の長さと略一致又は若干大きく形成されている。
【００７０】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図９に示すように平板状に折り畳むことができる。
【００７１】
上記構成の包装箱Ａの使用状態について説明する。包装箱Ａを使用しない状況では、上記のように包装箱Ａは平板状に折り畳むことができるので、折り畳んで保管しておく。
【００７２】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。
【００７３】
そして、図１０に示すように、包装箱Ａの上方から複数の被収納物としての文庫本Ｇを内箱部Ａ１内に収納する。文庫本の収納に当たっては、文庫本を横向きにして収納し、特に、背表紙を上面側にして収納する。上面部１６０〜１９０は、予め上方に立設した状態になっていて、外箱部Ａ２の上方が開口した状態になっているので、文庫本Ｇはそのまま包装箱Ａの上方から収納すればよい。
【００７４】
なお、文庫本の陳列状態において、文庫本を横向きにし背表紙を上側にして陳列する場合には、文庫本の下側を包装箱Ａの正面側として収納し、一方、文庫本を縦向きにし背表紙を正面側にして陳列する場合には、文庫本の下側を包装箱Ａの背面側として収納する。
【００７５】
その後、上面部１６０〜１９０を閉状態にして、接着テープＴを外箱部Ａ２の側面部１２０から上面を経て側面部１３０側にまで接着させることにより、上面部１６０〜１９０を封止する（図１１参照）。なお、上面部１６０〜１９０を封止するに際しては、内箱部Ａ１の正面部１０における上側部１７が外箱部Ａ２の正面部１１０よりも突出しているので、上側部１７を下側部１６に対して上側部１７と下側部１６間の折れ線を介して折曲して、上側部１７を水平方向にした上で上面部１６０〜１９０を閉状態とする。
【００７６】
以上のようにして、文庫本Ｇを包装箱Ａに包装したら、文庫本Ｇを収納した包装箱Ａを文庫本Ｇを陳列する場所に搬送する。
【００７７】
その後、文庫本を陳列する場合には、外箱部Ａ２を内箱部Ａ１から分離する。すなわち、開口部１２５の位置に指を入れた後に片部１２２における片部先端部１２２ｂに指を係止させ、片部先端部１２２ｂを外側に引き出す。その際、折れ線１２６が設けられているので、容易に片部先端部１２２ｂを外側に引き出すことができる。その後は、片部先端部１２２ｂをさらに外側に引き出すことにより、図１２に示すように、片部１２２を回動させることができる。つまり、横方向に形成された第１切目線１２４ａと第３切目線１２４ｄの第２切目線１２４ｂが設けられている側とは反対側の端部間を結ぶ直線状の折れ線（側面部１２０の下辺に対して垂直方向の直線）が回動軸となって片部１２２が水平方向に回動する。
【００７８】
また、開口部１３５の位置に指を入れた後に片部１３２における片部先端部１３２ｂに指を係止させ、片部先端部１３２ｂを外側に引き出す。その際、折れ線１３６が設けられているので、容易に片部先端部１３２ｂを外側に引き出すことができる。その後は、片部先端部１３２ｂをさらに外側に引き出すことにより、片部１３２を回動させることができる。
【００７９】
なお、片部１２２、１３２が回動する際の回動軸となる折れ線の箇所には、罫線を形成しておかなくても片部１２２、１３２を回動させることにより自然と折れ線が形成されるが、予め該折れ線の箇所に罫線を形成しておいてもよい。
【００８０】
すると、外箱部Ａ２の片部１２２を外側に回動させた際に、同時に分離部本体部２４ａの下側のミシン目Ｋ２が破れて、分離部２４が内箱部Ａ１から分離し、回動させた片部１２２に接着した状態で片部１２２に従動する。同様に、外箱部Ａ２の片部１３２を外側に回動させた際に、同時に分離部本体部３４ａの下側のミシン目Ｋ６が破れて、分離部３４が内箱部Ａ１から分離し、回動させた片部１３２に接着した状態で片部１３２に従動する。なお、突出部２４ｂ、３４ｂと本体部２２、３４とは切込みを介して分離しており、分離部本体部２４ａ、３４ａのみが切目線を介して本体部２２、３４と連設されているので、分離部の分離を容易に行なうことができる。
【００８１】
そして、図１３に示すように、外箱部Ａ２を上方に引き上げることにより、文庫本を収納した状態で、かつ、分離部２４、３４が分離した状態の内箱部Ａ１が残るので、文庫本を内箱部Ａ１に収納した状態で文庫本を陳列する。なお、外箱部Ａ２には、切欠部Ｋ１２２が設けられていて、正面部１１０や側面部１２０の下端が外側と内側間を移動する余裕があるので、外箱部Ａ２を容易に引き上げることができる。なお、外箱部Ａ２を上方に引き上げた状態では、文庫本は内箱部Ａ１内に横向きで背表紙を上側にして収納されている。
【００８２】
次に、切取り片部１４と正面本体部１２との間の切目線を破断して切取り片部１４を正面部１０から分離させ、その後、切取り片部１４と片部１９との間の切目線を破断して、表示部１５を片部１９から分離する。
【００８３】
表示部１５を分離したら、文庫本の陳列方向に応じて表示部１５を背面部４０に装着する。
【００８４】
すなわち、文庫本を横向きにし背表紙を上側にして陳列する場合には、図１４、図１５に示すように、底面部５０を水平方向（つまり、底面側）とし背面部４０を立設状態（つまり、背面側）として表示部１５を背面部４０に装着する。すなわち、背面部４０の一対の差込み部４２ａ、４２ｂ間の位置に下側部１６の切欠部の部分を差し込むことにより、表示部１５の下側部１６の切欠部形成側の部分と背面部４０における差込み部４２ａ、４２ｂ形成側の部分とを係止させて、表示部１５を背面部４０に装着する。装着に当たっては、表示部１５の上側部１７において広告が表示された面を正面側に向けて装着する。なお、図１５は、図１４において収納された文庫本を除いた状態の図である。図１５の状態においては、差込み部４２ａ、４２ｂの両側の片部４３ｂ、４３ｃは、下側部１６の正面側にあるが、差込み部４２ａ、４２ｂ間の片部４３ａは、下側部１６の背面側にある。なお、片部４３ｂ、４３ｃを下側部１６の背面側とし、片部４３ａを下側部１６の正面側となるように表示部１５を差し込んでもよい。
【００８５】
また、文庫本を縦向きにし背表紙を正面側にして陳列する場合には、図１６、図１７に示すように、底面部５０を立設状態（つまり、背面側）とし背面部４０を水平状態（つまり、底面側）として表示部１５を背面部４０に装着する。すなわち、背面部４０の一対の差込み部４２ａ、４２ｂ間の位置に下側部１６の切欠部の部分を差し込むことにより、表示部１５の下側部１６の切欠部形成側の部分と背面部４０における差込み部４２ａ、４２ｂ形成側の部分とを係止させて、表示部１５を背面部４０に装着する。装着に当たっては、図１６、図１７に示すように、表示部１５の上側部１７を下側部１６に対して折り曲げた状態とし、そのように表示部１５を折り曲げた状態とした際に、表示部１５の上側部１７において広告が表示された面を正面側となるように装着する。なお、図１７は、図１６において収納された文庫本を除いた状態の図である。図１７の状態においては、差込み部４２ａ、４２ｂの両側の片部４３ｂ、４３ｃは、下側部１６の上面側にあるが、差込み部４２ａ、４２ｂ間の片部４３ａは、下側部１６の下面側にある。なお、片部４３ｂ、４３ｃを下側部１６の下面側とし、片部４３ａを下側部１６の上面側となるように表示部１５を差し込んでもよい。
【００８６】
なお、図１６、図１７の状態において、正面本体部１２の正面側の端部と上側部１７（厳密には、上側部１７の背面側の面）との間の前後方向（Ｙ１−Ｙ２方向）の長さＵは、文庫本の横方向の長さＷ（図１６、図１７における背面部４０の前後方向の長さと略同一である）よりも長く形成され、文庫本を取り出す際に、起立した上側部１７が邪魔になることがない。つまり、表示部１５を背面部４０に装着した状態では、正面本体部１２の底面部５０とは反対側の端部から表示部１５における下側部１６と上側部１７との境界位置までの底面部５０と直角な方向（Ｙ１−Ｙ２方向）の長さＵが、背面部４０における底面部５０と直角な方向（Ｙ１−Ｙ２方向）の長さ以上に形成されているので、収納された文庫本を取り出すために正面側（Ｙ１側）に引き出す際に上側部１７が邪魔になることがない。
【００８７】
本実施例の包装箱Ａによれば、図１や図２に示すように、上方が開口した包装箱Ａに対して上方から被収納物としての文庫本を収納して、上面部１６０〜１９０を閉じて１つの接着テープＴにより封止するのみであるので、容易に被収納物（文庫本）の梱包作業を行うことができる。
【００８８】
また、包装箱Ａによれば、文庫本を横向き、縦向きのいずれでも陳列することができ、また、縦向き、横向きのいずれの場合でも表示部１５をＰＯＰ広告として使用することができる。
【００８９】
また、本実施例の包装箱Ａによれば、、片部１２２、１３２を外側に回動させて、分離部２４、３４を内箱部Ａ１から分離して外箱部Ａ２を上方に引き上げるのみで陳列することができるので、陳列作業を容易に行なうことができる。特に、本実施例においては、外箱部Ａ２の側面部１２０、１３０に開口部１２５、１３５が形成されているので、回動する片部１２２、１３２を外側に引き出しやすく、容易に片部１２２、１３２を回動させることができ、特に、内箱部に収納されている商品が外箱部の側面部の内側に沿ってぴったり密接して収納されている場合でも容易に片部を外箱部の外側側面部から容易に引き出すことができる。
【００９０】
また、外箱部Ａ２の側面部１２０、１３０に開口部１２５、１３５が形成されているが、開口部１２５、１３５の全部又は一部を内側から被覆する突出部２４ｂ、３４ｂが設けられているので、開口部１２５、１３５からゴミ等が入るおそれがない。
【００９１】
また、特に、本実施例の包装箱Ａにおいては、片部１２２、１３２が外箱部Ａ２の側面部１２０、１３０の下端位置よりも上側に設けられ、特に、片部１２２、１３２は、スリーブ状部１０５の下端の縁部に対して垂直方向の回動軸を中心に水平方向に回動するので、商品が収納された収納物を持ち上げて搬送する際に、誤って片部１２２、１３２を回動させてしまうことがない。つまり、仮に、分離部と接着した片部で、回動させるための片部をスリーブ状部１０５の下端から上方に伸びる平行な切込みにより形成した場合には、包装箱Ａを持ち上げる際に該片部の位置を手に持って持ち上げると、誤って 該片部を回動させてしまい、内箱部Ａ１と外箱部Ａ２とを分離させてしまうおそれがあるが、本実施例の包装箱Ａの外箱部Ａ２における片部１２２、１３２は上記のように構成されているので、そのようなおそれがない。
【００９２】
なお、上記の説明においては、被収納物（商品）として文庫本を例にとって説明したが、他の被収納物であってもよい。
【００９３】
なお、上記の説明において、外箱部Ａ２においては、スリーブ状部１０５を構成する正面部１１０と側面部１２０の境界位置に切欠部Ｋ１２２が設けられ、正面部１１０と側面部１３０の境界位置に開口部Ｋ１１４が設けられているとして説明したが、切欠部Ｋ１２２を開口部Ｋ１１４のような開口部としてもよく、また、開口部Ｋ１１４を切欠部Ｋ１２２のような切欠部としてもよい。
【００９４】
また、切欠部Ｋ１２２のような切欠部又は開口部Ｋ１１４のような開口部を側面部１２０と背面部１４０の境界位置や側面部１３０と背面部１４０の境界位置に設けるようにしてもよい。
【図面の簡単な説明】
【００９５】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】本考案の実施例に基づく包装箱の底面図である。
【図５】内箱部の展開図である。
【図６】図５における要部説明図である。
【図７】外箱部の展開図である。
【図８】包装箱を折り畳んだ状態を示す斜視図である。
【図９】包装箱を折り畳んだ際の内箱部の折り畳み状態を示す斜視図である。
【図１０】包装箱の使用状態を示す斜視図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図であり、特に、文庫本を横向きにして陳列する場合を示す斜視図である。
【図１５】図１４において被収納物としての文庫本を除いた状態を示す斜視図である。
【図１６】包装箱の使用状態を示す斜視図であり、特に、文庫本を縦向きにして陳列する場合を示す斜視図である。
【図１７】図１６において被収納物としての文庫本を除いた状態を示す斜視図である。
【符号の説明】
【００９６】
Ａ 包装箱
Ａ１ 内箱部
Ａ２ 外箱部
５、１０５ スリーブ状部
１０、１１０ 正面部
１２  正面本体部
１４  切取り片部
１５  表示部
１６  下側部
１７  上側部
１９  片部
２０、３０、１２０、１３０ 側面部
２２、３２ 本体部
２４、３４ 分離部
２４ａ、３４ａ  分離部本体部
２４ｂ、３４ｂ  突出部
４０、１４０ 背面部
４２、１４２ 糊代部
５０ 底面部
１２２、１３２  片部
１６０、１７０、１８０、１９０ 上面部
【図１】
0003148566.tif 000003
【図２】
0003148566.tif 000004
【図３】
0003148566.tif 000005
【図４】
0003148566.tif 000006
【図５】
0003148566.tif 000007
【図６】
0003148566.tif 000008
【図７】
0003148566.tif 000009
【図８】
0003148566.tif 000010
【図９】
0003148566.tif 000011
【図１０】
0003148566.tif 000012
【図１１】
0003148566.tif 000013
【図１２】
0003148566.tif 000014
【図１３】
0003148566.tif 000015
【図１４】
0003148566.tif 000016
【図１５】
0003148566.tif 000017
【図１６】
0003148566.tif 000018
【図１７】
0003148566.tif 000019